(57)【要約】【課題】ループバックテスト等の各種動作を自動的に実行し、２つのＷＤＭ装置間の間の光信号による通信の安定化を図ることができるＷＤＭ装置を提供する。【解決手段】本発明のＷＤＭ装置は、外部の通信機器が接続されたローカル通信ポートを有し、通信機器から光信号を受信して、光信号を電気信号に変換する複数のローカル通信部と、他のＷＤＭ装置が接続されたリモート通信ポートを有し、複数のローカル通信部がそれぞれ変換した複数の電気信号のそれぞれを、波長が異なる複数の光信号にそれぞれ変換して多重化し、他のＷＤＭ装置に送信するリモート通信部と、時刻を計時するクロック部と、ループバックテストの実行を示すコマンドに対応づけて、時刻を格納するコマンドテーブル格納部を有し、コマンドテーブル格納部がループバックテストを示すコマンドに対応づけて格納する時刻にループバックテストを実行する制御部とを備える。【選択図】図２
2005269575.tif 000002
【特許請求の範囲】
【請求項１】
波長分割多重方式を用いて光信号を中継するＷＤＭ装置であって、
外部の通信機器が接続されたローカル通信ポートを有し、前記通信機器から光信号を受信して、前記光信号を電気信号に変換する複数のローカル通信部と、
他のＷＤＭ装置が接続されたリモート通信ポートを有し、前記複数のローカル通信部がそれぞれ変換した複数の前記電気信号のそれぞれを、波長が異なる複数の光信号にそれぞれ変換して多重化し、前記他のＷＤＭ装置に送信するリモート通信部と、
時刻を計時するクロック部と、
前記他のＷＤＭ装置との間の前記光信号による通信が正常に行われているか否かを試験するループバックテストの実行を示すコマンドに対応づけて、時刻を格納するコマンドテーブル格納部を有し、前記コマンドテーブル格納部が前記ループバックテストを示すコマンドに対応づけて格納する前記時刻に、前記ローカル通信部から前記リモート通信部に供給される前記電気信号に、ループバックテストパケットを割り込ませて前記他のＷＤＭ装置に送信させることにより、前記ループバックテストを実行する制御部と
を備えるＷＤＭ装置。
【請求項２】
前記複数のローカル通信部のそれぞれと前記リモート通信部とを接続する複数の伝送路と、
前記複数の伝送路上にそれぞれ設けられ、前記ローカル通信部から供給された前記電気信号及び前記制御部から供給された前記ループバックテストパケットのいずれかを選択し、前記リモート通信部に供給して前記他のＷＤＭ装置に送信させる複数のスイッチング部と
をさらに備え、
前記制御部は、前記複数のスイッチング部のそれぞれに前記ループバックテストパケットを供給し、前記複数のスイッチング部によって前記複数のローカル通信部のそれぞれから供給された前記複数の電気信号に前記設定データを割り込ませることによって、前記複数の光信号のそれぞれによる通信が正常に行われているか否かを試験する前記ループバックテストを実行する請求項１に記載のＷＤＭ装置。
【請求項３】
前記コマンドテーブル格納部は、前記複数の光信号にそれぞれ対応する複数のチャネル毎に、前記ループバックテストの実行を示すコマンドに対応づけて、時刻を格納する請求項２に記載のＷＤＭ装置。
【請求項４】
前記複数のスイッチング部は、前記複数のスイッチング部における通信量をそれぞれ測定するカウンタをそれぞれ有し、
前記制御部は、
予め定められた時間毎に、複数の前記カウンタから前記複数のスイッチング部における通信量を取得する通信量取得部と、
前記通信量取得部が取得した前記時間毎の前記複数のスイッチング部における通信量に基づいて、前記複数のスイッチング部のそれぞれにおいて通信量が最も少ない時刻を検出する空き時刻検出部と、
前記複数のチャネル毎に、前記ループバックテストの実行を示すコマンドに対応づけて、前記空き時刻検出部が検出した前記時刻をコマンドテーブル格納部に格納するコマンドテーブル生成部と
をさらに有する請求項３に記載のＷＤＭ装置。
【請求項５】
前記コマンドテーブル格納部は、前記複数の光信号にそれぞれ対応する複数のチャネル毎に、前記ローカル通信ポートにおける通信を禁止するポートディセーブル、又は前記ローカル通信ポートにおける通信を許可するポートイネーブルの実行を示すコマンドに対応づけて、時刻を格納し、
前記制御部は、前記コマンドテーブル格納部が前記ポートディセーブルの実行を示すコマンドに対応づけて格納する前記時刻に、前記ローカル通信ポートにおける通信を禁止する設定をし、前記コマンドテーブル格納部が前記ポートイネーブルの実行を示すコマンドに対応づけて格納する前記時刻に、前記ローカル通信ポートにおける通信を許可する設定をする請求項１に記載のＷＤＭ装置。
【請求項６】
前記コマンドテーブル格納部は、前記複数の光信号にそれぞれ対応する複数のチャネル毎に、前記ローカル通信部への電源供給を遮断するモジュールディセーブル、又は前記ローカル通信部への電源供給を開始するモジュールイネーブルの実行を示すコマンドに対応づけて、時刻を格納し、
前記制御部は、前記コマンドテーブル格納部が前記モジュールディセーブルの実行を示すコマンドに対応づけて格納する前記時刻に、前記ローカル通信部への電源供給を遮断し、前記コマンドテーブル格納部が前記モジュールイネーブルの実行を示すコマンドに対応づけて格納する前記時刻に、前記ローカル通信部への電源供給を開始する請求項１に記載のＷＤＭ装置。
【請求項７】
前記制御部は、当該ＷＤＭ装置の設定情報、及び前記設定情報の参照又は更新が許可されている管理者を識別する管理者識別情報を格納する設定情報格納部をさらに有し、
前記コマンドテーブル格納部は、管理者識別情報に対応づけて、時刻を格納し、
前記制御部は、前記コマンドテーブル格納部が前記管理者識別情報に対応づけて格納する前記時刻に、前記コマンドテーブル格納部が格納する前記管理者識別情報を前記設定情報格納部に格納させ、前記設定情報格納部に格納された前記管理者識別情報で識別される前記管理者以外の管理者による前記設定情報の参照又は更新を禁止する請求項１に記載のＷＤＭ装置。
【請求項８】
前記制御部は、当該ＷＤＭ装置の設定情報、及び前記設定情報にアクセスするために必要なパスワードを格納する設定情報格納部をさらに有し、
前記コマンドテーブル格納部は、パスワードに対応づけて、時刻を格納し、
前記制御部は、前記コマンドテーブル格納部が前記パスワードに対応づけて格納する前記時刻に、前記コマンドテーブル格納部が格納する前記パスワードを前記設定情報格納部に格納させ、前記設定情報格納部に格納された前記パスワード以外のパスワードによるアクセスに対して前記設定情報の参照又は更新を禁止する請求項１に記載のＷＤＭ装置。
【請求項９】
前記制御部は、
通信パケットの種別に対応づけて、前記通信パケットが当該ＷＤＭ装置を通過することを許可するか否かを保持するアクセスフィルタテーブルを複数格納するアクセスフィルタテーブル格納部と、
前記アクセスフィルタテーブル格納部が格納する複数の前記アクセスフィルタテーブルのいずれかを参照して、当該ＷＤＭ装置を通過することができる通信を制限する通信制限部と
をさらに有し、
前記コマンドテーブル格納部は、アクセスフィルタテーブルを識別するアクセスフィルタテーブル識別情報に対応づけて、時刻を格納し、
前記通信制限部は、前記コマンドテーブル格納部が前記アクセスフィルタテーブル識別情報に対応づけて格納する前記時刻に、前記通信制限部が参照する前記アクセスフィルタテーブルを、前記コマンドテーブル格納部が前記アクセスフィルタテーブル識別情報で識別される前記アクセスフィルタテーブルに設定する請求項１に記載のＷＤＭ装置。
【発明の詳細な説明】
【技術分野】
【０００１】
本発明は、ＷＤＭ装置に関する。特に本発明は、波長分割多重方式を用いて光信号を中継し、また光信号による通信が正常に行われているか否かを試験するループバックテストを行うＷＤＭ装置に関する。
【背景技術】
【０００２】
近年の光通信システムは、大容量化や長距離化を目指して開発されている。大容量化を実現するために、波長の異なる複数の光信号を一本の光ファイバケーブルを用いて伝送する波長分割多重（ＷＤＭ：Ｗａｖｅｌｅｎｇｔｈ  Ｄｉｖｉｓｉｏｎ  Ｍｕｌｔｉｐｌｅｘｉｎｇ）方式を用いて光通信を中継するＷＤＭ装置が開発されている。また、長距離化を実現するために、光ファイバケーブルの伝搬損失を補償するための、広い波長範囲の光を一括して増幅することができる光アンプが開発されている。
【０００３】
現時点で先行技術文献の存在を認識していないので、先行技術文献に関する記載を省略する。
【発明の開示】
【発明が解決しようとする課題】
【０００４】
光通信システムの長距離化が進むにつれて、離れた場所に存在する２つのネットワークを接続するために各ネットワークにそれぞれ設けられた２つのＷＤＭ装置が遠い場所に配置されることになる。そのため、２つのＷＤＭ装置の間の光信号による通信が常に正常に行われていることを確認するために、ループバックテストが適切に行われることが一層重要となっている。
【０００５】
そこで本発明は、上記の課題を解決することができるＷＤＭ装置を提供することを目的とする。この目的は特許請求の範囲における独立項に記載の特徴の組み合わせにより達成される。また従属項は本発明の更なる有利な具体例を規定する。
【課題を解決するための手段】
【０００６】
本発明の第１の形態によれば、波長分割多重方式を用いて光信号を中継するＷＤＭ装置であって、外部の通信機器が接続されたローカル通信ポートを有し、通信機器から光信号を受信して、光信号を電気信号に変換する複数のローカル通信部と、他のＷＤＭ装置が接続されたリモート通信ポートを有し、複数のローカル通信部がそれぞれ変換した複数の電気信号のそれぞれを、波長が異なる複数の光信号にそれぞれ変換して多重化し、他のＷＤＭ装置に送信するリモート通信部と、時刻を計時するクロック部と、他のＷＤＭ装置との間の光信号による通信が正常に行われているか否かを試験するループバックテストの実行を示すコマンドに対応づけて、時刻を格納するコマンドテーブル格納部を有し、コマンドテーブル格納部がループバックテストを示すコマンドに対応づけて格納する時刻に、ローカル通信部からリモート通信部に供給される電気信号に、ループバックテストパケットを割り込ませて他のＷＤＭ装置に送信させることにより、ループバックテストを実行する制御部とを備える。
【０００７】
複数のローカル通信部のそれぞれとリモート通信部とを接続する複数の伝送路と、複数の伝送路上にそれぞれ設けられ、ローカル通信部から供給された電気信号及び制御部から供給されたループバックテストパケットのいずれかを選択し、リモート通信部に供給して他のＷＤＭ装置に送信させる複数のスイッチング部とをさらに備えてもよい。
【０００８】
制御部は、複数のスイッチング部のそれぞれにループバックテストパケットを供給し、複数のスイッチング部によって複数のローカル通信部のそれぞれから供給された複数の電気信号に設定データを割り込ませることによって、複数の光信号のそれぞれによる通信が正常に行われているか否かを試験するループバックテストを実行してもよい。
【０００９】
コマンドテーブル格納部は、複数の光信号にそれぞれ対応する複数のチャネル毎に、ループバックテストの実行を示すコマンドに対応づけて、時刻を格納してもよい。
【００１０】
複数のスイッチング部は、複数のスイッチング部における通信量をそれぞれ測定するカウンタをそれぞれ有し、制御部は、予め定められた時間毎に、複数のカウンタから複数のスイッチング部における通信量を取得する通信量取得部と、通信量取得部が取得した時間毎の複数のスイッチング部における通信量に基づいて、複数のスイッチング部のそれぞれにおいて通信量が最も少ない時刻を検出する空き時刻検出部と、複数のチャネル毎に、ループバックテストの実行を示すコマンドに対応づけて、空き時刻検出部が検出した時刻をコマンドテーブル格納部２１８に格納するコマンドテーブル生成部とをさらに有してもよい。
【００１１】
コマンドテーブル格納部は、複数の光信号にそれぞれ対応する複数のチャネル毎に、ローカル通信ポートにおける通信を禁止するポートディセーブル、又はローカル通信ポートにおける通信を許可するポートイネーブルの実行を示すコマンドに対応づけて、時刻を格納し、制御部は、コマンドテーブル格納部がポートディセーブルの実行を示すコマンドに対応づけて格納する時刻に、ローカル通信ポートにおける通信を禁止する設定をし、コマンドテーブル格納部がポートイネーブルの実行を示すコマンドに対応づけて格納する時刻に、ローカル通信ポートにおける通信を許可する設定をしてもよい。
【００１２】
コマンドテーブル格納部は、複数の光信号にそれぞれ対応する複数のチャネル毎に、ローカル通信部への電源供給を遮断するモジュールディセーブル、又はローカル通信部への電源供給を開始するモジュールイネーブルの実行を示すコマンドに対応づけて、時刻を格納し、制御部は、コマンドテーブル格納部がモジュールディセーブルの実行を示すコマンドに対応づけて格納する時刻に、ローカル通信部への電源供給を遮断し、コマンドテーブル格納部がモジュールイネーブルの実行を示すコマンドに対応づけて格納する時刻に、ローカル通信部への電源供給を開始してもよい。
【００１３】
制御部は、当該ＷＤＭ装置の設定情報、及び設定情報の参照又は更新が許可されている管理者を識別する管理者識別情報を格納する設定情報格納部をさらに有し、コマンドテーブル格納部は、管理者識別情報に対応づけて、時刻を格納し、制御部は、コマンドテーブル格納部が管理者識別情報に対応づけて格納する時刻に、コマンドテーブル格納部が格納する管理者識別情報を設定情報格納部に格納させ、設定情報格納部に格納された管理者識別情報で識別される管理者以外の管理者による設定情報の参照又は更新を禁止してもよい。
【００１４】
制御部は、当該ＷＤＭ装置の設定情報、及び設定情報にアクセスするために必要なパスワードを格納する設定情報格納部をさらに有し、コマンドテーブル格納部は、パスワードに対応づけて、時刻を格納し、制御部は、コマンドテーブル格納部がパスワードに対応づけて格納する時刻に、コマンドテーブル格納部が格納するパスワードを設定情報格納部に格納させ、設定情報格納部に格納されたパスワード以外のパスワードによるアクセスに対して設定情報の参照又は更新を禁止してもよい。
【００１５】
制御部は、通信パケットの種別に対応づけて、通信パケットが当該ＷＤＭ装置を通過することを許可するか否かを保持するアクセスフィルタテーブルを複数格納するアクセスフィルタテーブル格納部と、アクセスフィルタテーブル格納部が格納する複数のアクセスフィルタテーブルのいずれかを参照して、当該ＷＤＭ装置を通過することができる通信を制限する通信制限部とをさらに有し、コマンドテーブル格納部は、アクセスフィルタテーブルを識別するアクセスフィルタテーブル識別情報に対応づけて、時刻を格納し、通信制限部は、コマンドテーブル格納部がアクセスフィルタテーブル識別情報に対応づけて格納する時刻に、通信制限部が参照するアクセスフィルタテーブルを、コマンドテーブル格納部がアクセスフィルタテーブル識別情報で識別されるアクセスフィルタテーブルに設定してもよい。
【００１６】
なお上記の発明の概要は、本発明の必要な特徴の全てを列挙したものではなく、これらの特徴群のサブコンビネーションもまた発明となりうる。
【発明の効果】
【００１７】
本発明によれば、ＷＤＭ装置にループバックテスト等の各種動作を自動的に実行させ、２つのＷＤＭ装置間の間の光信号による通信の安定化を図ることができる。
【発明を実施するための最良の形態】
【００１８】
以下、発明の実施形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００１９】
図１は、本発明の一実施形態に係る光通信システム１００の構成の一例を示す。光通信システム１００は、ＷＤＭ装置１０２、ＷＤＭ装置１０４、及び管理用端末１０６を備える。管理用端末１０６は、ＷＤＭ装置１０２又は１０４の管理用ポートにシリアルケーブルやイーサネット（登録商標）ケーブル等のメタリックケーブルを介して直接接続され、ＷＤＭ装置１０２及び１０４の各種設定を行う。
【００２０】
ＷＤＭ装置１０２は、光ファイバケーブル１１６ａを介してローカル通信部１１２ａがネットワークＮＷ１に接続され、光ファイバケーブル１１６ｂを介してローカル通信部１１２ｂがネットワークＮＷ２に接続される。また、ＷＤＭ装置１０２は、光ファイバケーブル１１６ｃを介してローカル通信部１１２ｃがネットワークＮＷ３に接続され、光ファイバケーブル１１６ｄを介してローカル通信部１１２ｄがネットワークＮＷ４に接続される。ＷＤＭ装置１０２とＷＤＭ装置１０４とは、光ファイバケーブル１３０を介して、ＷＤＭ装置１０２が備えるリモート通信部１１０とＷＤＭ装置１０４が備えるリモート通信部１２０との間で接続される。ＷＤＭ装置１０２とＷＤＭ装置１０４との間の距離は、例えば数十ｋｍ程度の長距離である。
【００２１】
ＷＤＭ装置１０２は、ネットワークＮＷ１〜ＮＷ４のそれぞれから光信号を受信する。そして、ＷＤＭ装置１０２は、ネットワークＮＷ１〜ＮＷ４のそれぞれから受信した信号が波長分割多重された光信号を生成し、光ファイバケーブル１３０を介してＷＤＭ装置１０４に送信する。また、ＷＤＭ装置１０２は、ＷＤＭ装置１０４がネットワークＮＷ１’〜ＮＷ４’のそれぞれから受信した信号が波長分割多重された光信号を、光ファイバケーブル１３０を介してＷＤＭ装置１０４から受信する。そして、ＷＤＭ装置１０２は、ＷＤＭ装置１０４から受信した波長分割多重された光信号を分波する。そして、ＷＤＭ装置１０２は、ネットワークＮＷ１’〜ＮＷ４’のそれぞれから送信された信号を、光ファイバケーブル１１６ａ〜１１６ｄを介して、ネットワークＮＷ１〜ＮＷ４のそれぞれに送信する。
【００２２】
なお、ＷＤＭ装置１０４の接続形態は、ＷＤＭ装置１０４に管理用端末１０６が接続されていないこと、及びＷＤＭ装置１０４がネットワークＮＷ１’〜ＮＷ４’に接続されていることを除き、ＷＤＭ装置１０２の接続形態と同一であるので説明を省略する。また、ＷＤＭ装置１０４の構成及び機能は、ＷＤＭ装置１０２の構成及び機能と同一であるので説明を省略する。
【００２３】
管理用端末１０６は、システム管理者の指示入力に基づいて、ＷＤＭ装置１０２及び１０４の管理を行う。例えば、ＷＤＭ装置１０２は、管理用端末１０６から入力される設定情報に基づいて、ＷＤＭ装置１０２の設定を行う。また、ＷＤＭ装置１０２は、管理用端末１０６から入力される指示に基づいて、ＷＤＭ装置１０２が保持する設定情報をＷＤＭ装置１０４に送信し、送信した設定情報に基づいてＷＤＭ装置１０４の設定を行わせる。
【００２４】
また、ＷＤＭ装置１０２は、ＲＴＣ（リアルタイムクロック）等のクロック部を搭載し、また、ループバックテスト等の各種動作と時刻とが対応づけられたコマンドテーブルを予め保持する。そして、ＷＤＭ装置１０２は、クロック部が計時する時刻を参照しながらコマンドテーブルに基づいて、ループバックテスト等の各種動作を自動的に実行する。そして、ＷＤＭ装置１０２は、ＷＤＭ装置１０２とＷＤＭ装置１０４との間の光信号による通信に障害があった場合等には、管理用端末１０６に通知して表示させ、又はＷＤＭ装置１０２をＳＮＭＰエージェントとして管理するＳＮＭＰマネージャにＳＮＭＰによるトラップを送信することにより、システム管理者に対して障害の発生を通知する。
【００２５】
このように、本実施形態に係る光通信システム１００によれば、ＷＤＭ装置１０２がループバックテスト等の各種動作を自動的に実行することで、システム管理者は、ＷＤＭ装置１０２に直接接続された管理用端末１０６を用いてＷＤＭ装置１０２を操作することなく、常時にループバックテスト等の各種動作を実行させることができる。したがって、ＷＤＭ装置１０２とＷＤＭ装置１０４との間の光信号による通信が常に正常に行われていることを常時確認することができ、ＷＤＭ装置１０２とＷＤＭ装置１０４との間の光信号による通信の安定化を図ることができる。
【００２６】
図２は、本実施形態に係るＷＤＭ装置１０２の構成の一例を示す。ＷＤＭ装置１０２は、リモート通信部１１０、複数のローカル通信部１１２ａ〜１１２ｄ、制御部１１４、複数のスイッチング部２００ａ〜２００ｄ、複数の伝送路２０２ａ〜２０２ｄ、及びクロック部２１６を備える。
【００２７】
ローカル通信部１１２ａ〜１１２ｄのそれぞれは、ネットワークＮＷ１〜ＮＷ４のそれぞれに配置された外部の通信機器に接続されたローカル通信ポート２１０ａ〜２１０ｄをそれぞれ有し、ローカル通信ポート２１０ａ〜２１０ｄのそれぞれを介して、ネットワークＮＷ１〜ＮＷ４のそれぞれに配置された通信機器から光信号を受信する。また、ローカル通信部１１２ａ〜１１２ｄのそれぞれは、光電変換部２０８ａ〜２０８ｄをそれぞれ有し、ローカル通信ポート２１０ａ〜２１０ｄのそれぞれを介して受信した光信号を電気信号に変換して、スイッチング部２００ａ〜２００ｄにそれぞれ供給する。
【００２８】
また、ローカル通信部１１２ａ〜１１２ｄのそれぞれは、スイッチング部２００ａ〜２００ｄのそれぞれから供給された電気信号を、光電変換部２０８ａ〜２０８ｄのそれぞれによって光信号に変換する。そして、ローカル通信部１１２ａ〜１１２ｄのそれぞれは、光電変換部２０８ａ〜２０８ｄのそれぞれによって変換された光信号を、ローカル通信ポート２１０ａ〜２１０ｄのそれぞれを介して、ネットワークＮＷ１〜ＮＷ４にそれぞれ供給する。
【００２９】
リモート通信部１１０は、複数のローカル通信部１１２ａ〜１１２ｄがそれぞれ変換した複数の電気信号のそれぞれを、スイッチング部２００ａ〜２００ｄを介して受け取る。そして、リモート通信部１１０は、光電変換部２０６を有し、受け取った複数の電気信号のそれぞれを、波長が異なる複数の光信号にそれぞれ変換して多重化する。また、リモート通信部１１０は、ＷＤＭ装置１０４に接続されたリモート通信ポート２０４を有し、光電変換部２０６によって多重化された光信号をＷＤＭ装置１０４に送信する。
【００３０】
また、リモート通信部１１０は、リモート通信ポート２０４を介して、ＷＤＭ装置１０４から光信号を受信する。そして、リモート通信部１１０は、リモート通信ポート２０４を介して受信した光信号を分波し、分波された複数の光信号を光電変換部２０６によって複数の電気信号に変換する。そして、リモート通信部１１０は、光電変換部２０６によって変換された電気信号を、スイッチング部２００ａ〜２００ｄのそれぞれに供給する。
【００３１】
スイッチング部２００ａ〜２００ｄのそれぞれは、複数のローカル通信部１１２ａ〜１１２ｄのそれぞれとリモート通信部１１０とを接続する複数の伝送路２０２ａ〜２０２ｄ上にそれぞれ設けられる。そして、スイッチング部２００ａ〜２００ｄのそれぞれは、ローカル通信部１１２ａ〜１１２ｄから供給された電気信号と、制御部１１４から供給されたループバックパケットとのいずれかを選択し、リモート通信部１１０に供給してＷＤＭ装置１０４に送信させる。また、スイッチング部２００ａ〜２００ｄのそれぞれは、スイッチング部２００ａ〜２００ｄにおける通信量を測定するカウンタ２０１ａ〜２０１ｄをそれぞれ有する。なお、スイッチング部２００ａ〜２００ｄは、ＦＰＧＡ（Ｆｉｅｌｄ  Ｐｒｏｇｒａｍｍａｂｌｅ  Ｇａｔｅ  Ａｒｒａｙ）で構成され、制御部１１４から供給されたループバックテスト命令を受け取り、当該ループバックテスト命令に基づいて生成してループバックテストパケットをリモート通信部１１０に供給してＷＤＭ装置１０４に送信させてもよい。また、スイッチング部２００ａ〜２００ｄは、スイッチチップで構成されてもよい。
【００３２】
制御部１１４は、ＷＤＭ装置１０４との間の光信号による通信が正常に行われているか否かを試験するループバックテストの実行を示すコマンドに対応づけて、時刻を格納するコマンドテーブル格納部２１８を有する。制御部１１４は、クロック部２１６が計時する時刻を参照して、コマンドテーブル格納部２１８がループバックテストを示すコマンドに対応づけて格納する時刻に、ローカル通信部１１２ａ〜１１２ｄからリモート通信部１１０に供給される電気信号に、ループバックテストパケットを割り込ませてＷＤＭ装置１０４に送信させることにより、ループバックテストを実行する。
【００３３】
また、制御部１１４は、複数のスイッチング部２００ａ〜２００ｄのそれぞれにループバックテストパケットを供給し、複数のスイッチング部２００ａ〜２００ｄによって複数のローカル通信部１１２ａ〜１１２ｄのそれぞれから供給された複数の電気信号のそれぞれにループバックテストパケットを割り込ませることによって、複数の光信号のそれぞれによる通信が正常に行われているか否かを試験するループバックテストを同時に実行してもよい。
【００３４】
以上のように、本実施形態に係る光通信システム１００によれば、ＷＤＭ装置１０２が、コマンドテーブル格納部２１８を参照して、システム管理者によって予め定められた時刻に自動的にループバックテストを実行するので、システム管理者が管理用端末１０６を用いてＷＤＭ装置１０２を操作することなく、光信号による通信が常に正常に行われていることを確認することができる。
【００３５】
図３は、本実施形態に係る制御部１１４の構成の一例を示す。また、図４は、本実施形態に係るコマンドテーブル格納部２１８の構成の一例を示す。また、図５は、本実施形態に係る設定情報格納部３０４の構成の一例を示す。
【００３６】
図３に示すように、制御部１１４は、通信制限部３００、アクセスフィルタテーブル格納部３０２、設定情報格納部３０４、パケット生成部３０６、パケット解析部３０８、中央処理部３１０、通信処理部３１２、管理用ポート３１４、通信量取得部３１６、空き時間検出部３１８、及びコマンドテーブル生成部３２０、及びコマンドテーブル格納部２１８を有する。制御部１１４が有する各構成要素は、中央処理部３１０に働きかけて、以下に説明するようにそれぞれ動作する。
【００３７】
パケット生成部３０６は、コマンドテーブル格納部２１８において予め定められた時刻に、ループバックテストパケットを生成してスイッチング部２００ａ〜２００ｄの少なくとも１つに供給する。パケット解析部３０８は、スイッチング部２００ａ〜２００ｄから取得したパケットを解析し、解析内容に従って各構成要素に動作指示を行う。具体的には、パケット解析部３０８が、スイッチング部２００ａ〜２００ｄからループバックテストパケットを取得した場合には、パケット生成部３０６にループバックテストパケットに応答するよう動作指示を行う。なお、パケット生成部３０６は、ループバックテストパケットを、ＷＤＭ装置１０４のＭＡＣアドレスを宛先として、ＯＳＩ参照モデルのデータリンク層におけるパケットにより、スイッチング部２００ａ〜２００ｄを介してＷＤＭ装置１０４に送信する。
【００３８】
また、通信量取得部３１６は、予め定められた時間毎に、複数のカウンタ２０１ａ〜２０１ｄから複数のスイッチング部２００ａ〜２００ｄにおける通信量を取得する。そして、空き時間検出部３１８は、通信量取得部３１６が取得した時間毎の複数のスイッチング部２００ａ〜２００ｄにおける通信量に基づいて、複数のスイッチング部２００ａ〜２００ｄのそれぞれにおいて通信量が最も少ない時刻を検出する。そして、コマンドテーブル生成部３２０は、図４に示すように、波長が異なる複数の光信号のそれぞれに対応する複数のチャネル（ｐｏｒｔ１〜４）毎に、ループバックテストの実行を示すコマンド（Ａｃｔｉｖｅ  Ｌｏｏｐｂａｃｋｔｅｓｔ  ｐｏｒｔ）に対応づけて、空き時刻検出部３１８が検出した時刻をコマンドテーブル格納部２１８に格納する。
【００３９】
また、コマンドテーブル生成部３２０は、複数のカウンタ２０１ａ〜２０１ｄに共通の、又は複数のカウンタ２０１ａ〜２０１ｄ毎に、カウンタ２０１ａ〜２０１ｄのカウント値である、スイッチング部２００ａ〜２００ｄの通信量をリセットするコマンドに対応づけて、時刻をコマンドテーブル格納部２１８に格納してもよく、通信量取得部３１６は、コマンドテーブル格納部２１８がスイッチング部２００ａ〜２００ｄの通信量をリセットするコマンドに対応づけて格納する時刻に、スイッチング部２００ａ〜２００ｄの通信量をリセットしてもよい。
【００４０】
このように、複数のチャネル毎に通信量が少ない時刻を検出し、検出した時刻にループバックテストを実行させることによって、通常の通信パケットによる通信を阻害することなく、ループバックテストを定期的に実行することができる。
【００４１】
また、アクセスフィルタテーブル格納部３０２は、通信パケットの種別に対応づけて、通信パケットがＷＤＭ装置１０２を通過することを許可するか否かを保持するアクセスフィルタテーブルを複数格納する。そして、通信制限部３００は、アクセスフィルタテーブル格納部３０２が格納する複数のアクセスフィルタテーブルから選択されたいずれかのアクセスフィルタテーブルを参照して、ＷＤＭ装置１０２を通過することができる通信を制限する。例えば、アクセスフィルタテーブルは、通信パケットの種別として、通信パケットの宛先又は送信元のＩＰアドレス、ＴＣＰポート番号、ＭＡＣアドレス等に対応づけて、許可又は不許可を保持する。
【００４２】
コマンドテーブル格納部２１８は、図４に示すように、複数のアクセスフィルタテーブルのそれぞれにユニークに割り当てられた、アクセスフィルタテーブルを識別するアクセスフィルタテーブル識別情報（ｔａｂｌｅ１）に対応づけて、時刻を格納する。そして、通信制限部３００は、コマンドテーブル格納部２１８がアクセスフィルタテーブル識別情報に対応づけて格納する時刻に、通信制限部３００が参照するアクセスフィルタテーブルを、コマンドテーブル格納部２１８がアクセスフィルタテーブル識別情報で識別されるアクセスフィルタテーブルに設定し、当該アクセスフィルタテーブルに基づいてＷＤＭ装置１０２を通過する通信パケットの通信を制御する。
【００４３】
このように、時刻に応じて異なるアクセスフィルタテーブルを用いて通信を制限することによって、例えば夜間にＷＤＭ装置１０２を通過することができる通信パケットを制限することによって、ネットワーク（ＮＷ１〜ＮＷ４）のセキュリティーを強化することができる。
【００４４】
また、管理用ポート３１４には、シリアルケーブルやイーサネット（登録商標）ケーブル等のメタリックケーブルを介して管理用端末１０６が接続される。通信処理部３１２は、管理用ポート３１４を介して管理用端末１０６から入力された指示入力を中央処理部３１０に通知する。例えば、システム管理者は、管理用端末１０６を介して、コマンドテーブル格納部２１８の内容をシステム管理者の指示入力に基づいて更新又は作成し、また、設定情報格納部３０４に格納された設定情報を参照又は更新する。
【００４５】
また、設定情報格納部３０４は、図５に示すように、ＷＤＭ装置１０２の各種設定情報、当該設定情報にアクセスするために必要なパスワード、及び当該設定情報の参照又は更新が許可されているシステム管理者を識別する管理者識別情報を格納する。設定情報格納部３０４は、例えばＭＩＢ（Ｍａｎａｇｅｍｅｎｔ  Ｉｎｆｏｒｍａｔｉｏｎ  Ｂａｓｅ）である。設定情報は、ＭＩＢに格納された情報であり、例えばＷＤＭ装置１０２をＳＮＭＰエージェントとして管理するＳＮＭＰマネージャの識別情報の一例であるＩＰアドレスである。また、管理者識別情報は、例えばＭＩＢのコミュニティー名である。
【００４６】
コマンドテーブル格納部２１８は、図４に示すように、管理者識別情報（ａｄｍｉｎｉｓｔｒａｔｏｒ１）又はパスワード（ｐａｓｓｗｏｒｄ１）に対応づけて、時刻を格納する。そして、制御部１１４は、コマンドテーブル格納部２１８が管理者識別情報に対応づけて格納する時刻に、コマンドテーブル格納部２１８が格納する管理者識別情報を設定情報格納部３０４に格納させて変更し、設定情報格納部３０４に格納された管理者識別情報で識別されるシステム管理者以外のシステム管理者による設定情報の参照又は更新を不許可に設定する。また、制御部１１４は、コマンドテーブル格納部２１８がパスワードに対応づけて格納する時刻に、コマンドテーブル格納部２１８が格納するパスワードを設定情報格納部３０４に格納させて変更し、設定情報格納部３０４に格納されたパスワード以外のパスワードによるアクセスに対して設定情報の参照又は更新を禁止する。
【００４７】
このように、設定情報にアクセスするために必要なパスワードや管理者識別情報を定期的に変更することにより、パスワードや管理者識別情報の漏洩を防ぎ、設定情報のセキュリティーを強化することができる。また、時間帯毎に異なるシステム管理者が設定情報を参照又は更新できるようにすることができる。
【００４８】
また、コマンドテーブル格納部２１８は、図４に示すように、波長が異なる複数の光信号にそれぞれ対応する複数のチャネル毎に、ローカル通信ポート２１０ａ〜２１０ｄにおける通信を禁止するポートディセーブル、又はローカル通信ポート２１０ａ〜２１０ｄにおける通信を許可するポートイネーブルの実行を示すコマンド（Ｄｉｓａｂｌｅ  ｐｏｒｔ、Ｅｎａｂｌｅ  ｐｏｒｔ）に対応づけて、時刻を格納する。そして、制御部１１４は、コマンドテーブル格納部２１８がポートディセーブルの実行を示すコマンドに対応づけて格納する時刻に、ローカル通信ポート２１０ａ〜２１０ｄにおける通信を禁止する設定をし、コマンドテーブル格納部２１８がポートイネーブルの実行を示すコマンドに対応づけて格納する時刻に、ローカル通信ポート２１０ａ〜２１０ｄにおける通信を許可する設定をする。
【００４９】
また、コマンドテーブル格納部２１８は、図４に示すように、波長が異なる複数の光信号にそれぞれ対応する複数のチャネル毎に、ローカル通信部１１２ａ〜１１２ｄへの電源供給を遮断するモジュールディセーブル、又はローカル通信部１１２ａ〜１１２ｄへの電源供給を開始するモジュールイネーブルの実行を示すコマンド（Ｄｉｓａｂｌｅ  ｍｏｄｕｌｅ、Ｅｎａｂｌｅ  ｍｏｄｕｌｅ）に対応づけて、時刻を格納する。そして、制御部１１４は、コマンドテーブル格納部２１８がモジュールディセーブルの実行を示すコマンドに対応づけて格納する時刻に、ローカル通信部１１２ａ〜１１２ｄへの電源供給を遮断し、コマンドテーブル格納部２１８がモジュールイネーブルの実行を示すコマンドに対応づけて格納する時刻に、ローカル通信部１１２ａ〜１１２ｄへの電源供給を開始する。
【００５０】
このように、システム管理者が予め設定した時刻に、ローカル通信ポート２１０ａ〜２１０ｄのポートディセーブル又はポートイネーブルや、ローカル通信部１１２ａ〜１１２ｄのモジュールディセーブル又はモジュールイネーブルを行い、ローカル通信部１１２ａ〜１１２ｄを介する通信を時間帯毎に禁止することによって、ネットワーク（ＮＷ１〜ＮＷ４）のセキュリティーを強化することができる。
【００５１】
その他の例としては、コマンドテーブル格納部２１８は、光信号による通信の通信速度の変更を示すコマンドに対応づけて、時刻を格納してもよい。例えば、通信量が多い昼間の時間帯の通信速度を、通信量が少ない夜間の時間帯の通信速度より速くするように設定してもよい。また、コマンドテーブル格納部２１８は、ループバックテストパケットのタイムアウト時間の変更を示すコマンドに対応づけて、時刻を格納してもよい。例えば、ＷＤＭ装置１０２とＷＤＭ装置１０４との間の通信が混雑している昼間の時間帯のタイムアウト時間を、通信が混雑していない夜間の時間帯のタイムアウト時間を長くするように設定してもよい。
【００５２】
図６は、本実施形態に係るＷＤＭ装置１０２の時間管理タスクによる動作フローの一例を示す。中央処理部３１０によって時間管理タスクが実行させると、まず、中央処理部３１０は、クロック部２１６から現在の時刻を取得する（Ｓ６００）。そして、中央処理部３１０は、コマンドテーブル格納部２１８を参照し（Ｓ６０２）、Ｓ６００においてクロック部２１６から取得した現在の時刻が、コマンドテーブル格納部２１８において指定され、コマンドに対応づけて格納されているか否かを判断する（Ｓ６０４）。Ｓ６０４において現在の時刻がコマンドテーブル格納部２１８に格納されていない場合（Ｓ６０４−ＮＯ）には、当該時間管理タスクを終了し、Ｓ６００に戻って時間管理タスクを繰り返し実行する。
【００５３】
Ｓ６０４において現在の時刻がコマンドテーブル格納部２１８に格納されている場合（Ｓ６０４−ＹＥＳ）には、中央処理部３１０は、コマンドテーブル格納部２１８が現在の時刻に対応づけて格納しているコマンドが示す処理を各構成要素に対して実行させる（Ｓ６０６）。例えば、現在の時刻に対応づけループバックテストを示すコマンドが格納されている場合には、パケット生成部３０６にループバックテストパケットを生成させてスイッチング部２００ａ〜２００ｄの少なくとも１つに供給させ、ＷＤＭ装置１０４に送信させる。
【００５４】
次に、中央処理部３１０は、Ｓ６０６において実行した処理の実行結果をシステム管理者に通知する（Ｓ６０８）。具体的には、ＳＮＭＰマネージャに対するＳＮＭＰによるトラップの送信、管理用端末１０６の画面への表示等により、例えばループバックテストのテスト結果をシステム管理者に通知する。また、実行結果のログを保持しておき、定期的にＳＮＭＰマネージャや管理用端末１０６に送信してもよい。以上の動作フローによって当該時間管理タスクを終了し、Ｓ６００に戻って時間管理タスクを繰り返し実行する。
【００５５】
本実施形態に係るＷＤＭ装置１０２によれば、コマンドテーブル格納部２１８を参照して、ループバックテスト等の各種処理を自動的に実行することができるので、システム管理者によるＷＤＭ装置１０２の管理の負担を大幅に軽減することができる。さらに、システム管理者がＷＤＭ装置１０２に直接接続された管理用端末１０６を用いてＷＤＭ装置１０２を操作することなく、常時にループバックテスト等の各種処理を実行させることができるので、ＷＤＭ装置１０２とＷＤＭ装置１０４との間の光信号による通信が常に正常に行われていることを常時確認することができ、ＷＤＭ装置１０２とＷＤＭ装置１０４との間の光信号による通信の安定化を図ることができる。
【００５６】
以上、実施形態を用いて本発明を説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【図面の簡単な説明】
【００５７】
【図１】光通信システム１００の構成の一例を示す図である。
【図２】ＷＤＭ装置１０２の構成の一例を示す図である。
【図３】制御部１１４の構成の一例を示す図である。
【図４】コマンドテーブル格納部２１８の構成の一例を示す図である。
【図５】設定情報格納部３０４の構成の一例を示す図である。
【図６】時間管理タスクによる動作フローの一例を示す図である。
【符号の説明】
【００５８】
１００  光通信システム
１０２  ＷＤＭ装置
１０４  ＷＤＭ装置
１０６  管理用端末
１１０  リモート通信部
１１２  ローカル通信部
１１４  制御部
１１６  光ファイバケーブル
１２０  リモート通信部
１３０  光ファイバケーブル
２００  スイッチング部
２０１  カウンタ
２０２  伝送路
２０４  リモート通信ポート
２０６  光電変換部
２０８  光電変換部
２１０  ローカル通信ポート
２１６  クロック部
２１８  コマンドテーブル格納部
３００  通信制限部
３０２  アクセスフィルタテーブル格納部
３０４  設定情報格納部
３０６  パケット生成部
３０８  パケット解析部
３１０  中央処理部
３１２  通信処理部
３１４  管理用ポート
３１６  通信量取得部
３１８  空き時間検出部
３２０  コマンドテーブル生成部
【図１】
2005269575.tif 000003
【図２】
2005269575.tif 000004
【図３】
2005269575.tif 000005
【図４】
2005269575.tif 000006
【図５】
2005269575.tif 000007
【図６】
2005269575.tif 000008